(57)【要約】【課題】  命中精度を高めることができるライフル銃を提供する。【解決手段】  銃口１１ａを有する銃身１１と、遊底３１ａ、撃針３１ｂ及び引金３２ａを有する機関部３０と、銃身１１の下側に配された先台２１と、機関部３０の後側に配された銃床２３とを備えたライフル銃において、機関部３０を、遊底３１ａ及び撃針３１ｂを有する上側機関部３１と、引金３２ａを有する下側機関部３２とで別体とし、銃身１１及び上側機関部３１で構成される第一部分１０と、先台２１、下側機関部３２及び銃床２３で構成される第二部分２０との間に、第二部分２０に対して第一部分１０を前後方向にスライド可能な状態で支持するスライド機構４０を介在させ、弾丸が発射されるときの反動で、第一部分１０が第二部分２０に対して後方にスライドを開始するようにした。【選択図】  図３
2019203669.tif 000002
【特許請求の範囲】
【請求項１】
銃口を有する銃身と、
遊底、撃針及び引金を有する機関部と、
銃身の下側に配された先台と、
機関部の後側に配された銃床と
を備えたライフル銃であって、
機関部が、遊底及び撃針を有する上側機関部と、引金を有する下側機関部とで別体とされ、
銃身及び上側機関部で構成される第一部分と、先台、下側機関部及び銃床で構成される第二部分との間に、第二部分に対して第一部分を前後方向にスライド可能な状態で支持するスライド機構が介在され、
弾丸が発射されるときの反動で、第一部分が第二部分に対して後方にスライドを開始するようにした
ことを特徴とするライフル銃。
【請求項２】
第一部分の前後方向のスライド幅が１０ｍｍ以上とされた請求項１記載のライフル銃。
【請求項３】
スライド機構として、銃身と先台との間に介在される銃身側スライド機構を設けた請求項１又は２記載のライフル銃。
【請求項４】
銃身側スライド機構として、
銃身を挿通するための銃身挿通孔を有する銃身挿通部と、
銃身挿通部の内周部に設けられた複数のボールと
を備えたものを用いた請求項３記載のライフル銃。
【請求項５】
弾丸が発射されたときに銃身に生ずる振動の腹となる箇所に銃身側スライド機構が設けられた請求項３又は４記載のライフル銃。
【請求項６】
スライド機構として、上側機関部と下側機関部との間に介在される機関部側スライド機構を設けた請求項１〜５いずれか記載のライフル銃。
【請求項７】
機関部側スライド機構として、
上側機関部に取り付けられる上側スライド部と、
下側機関部に取り付けられる下側固定部と、
上側スライド部と下側固定部との隙間内に設けられた複数のボールと
を備えたものを用いた請求項６記載のライフル銃。
【請求項８】
引金が引かれる前の状態では、第一部分を後側に移動しないように係止しながらも、引金が引かれて遊底又は撃針が動作した際に、前記係止が外れて第一部分が後側に移動できる状態とするスライド制御機構を設けた請求項１〜７いずれか記載のライフル銃。
【請求項９】
第二部分に照準器が取り付けられた請求項１〜８いずれか記載のライフル銃。
【請求項１０】
銃口を有する銃身と、
撃鉄及び引金を有する機関部と、
機関部の後側に配された銃把と
を備えた銃であって、
機関部が、撃鉄を有する上側機関部と、引金を有する下側機関部とで別体とされ、
銃身及び上側機関部で構成される第一部分と、下側機関部及び銃把で構成される第二部分との間に、第二部分に対して第一部分を前後方向にスライド可能な状態で支持するスライド機構が介在され、
弾丸が発射されるときの反動で、第一部分が第二部分に対して後方にスライドを開始するようにした
ことを特徴とする銃。
【発明の詳細な説明】
【技術分野】
【０００１】
本発明は、ライフル銃等の銃に関する。
【背景技術】
【０００２】
ライフル銃としては、特許文献１の図１及び図２に示されるように、銃身１０と、機関部３０と、先台（銃身１０の下側を支持する部分）と、銃把５０と、銃床６０とを備えたものが一般的である。
【０００３】
この種のライフル銃は、
[１]  引金３１を指で引く。
[２]  機関部３０内の逆鉤（図示省略）が動作し、撃針３３を係止していた逆鉤が撃針３３から外れる。
[３]  撃針３３が、機関部３０の遊底３２内に設けられたコイルバネ示省略）の付勢力によって遊底３２内を前進する。
[４]  撃針３３の前端部が弾１００における雷管１０４のカップ１０４ａの後面を打撃する。
［５］  カップ１０４ａの前面側に塗布された起爆薬１０４ｂが、カップ１０４ａと発火金（アンビル）１０４ｃとで押圧されて発火する。
［６］  薬莢１０１内の火薬１０２が爆発する。
［７］  火薬１０２の爆発により、薬莢１０１内の圧力が増大し、弾丸１０３が発射される。
という手順及び流れで、弾丸１０３を発射するものとなっている。  
【０００４】
ライフル銃の種類によっては、遊底３２内における撃針３３よりも後方に「撃鉄」（図視省略）と呼ばれる部材を設け、上記の逆鉤を、この撃鉄に係止する場合もある。この場合には、撃鉄を係止していた逆鉤が撃鉄から外れると、遊底３２内に設けられたコイルバネ視省略）の付勢力によって、撃鉄が遊底３２内を前進して撃針３３の後面を打撃することで、撃針３３が弾１００の雷管１０４を打撃するようになる。
【先行技術文献】
【特許文献】
【０００５】
【特許文献１】特許第６１２９４５２号公報
【発明の概要】
【発明が解決しようとする課題】
【０００６】
ところが、引用文献１のライフル銃は、機関部３０が、先台や銃床６０等に対して動かない状態となっており、上記［７］において弾丸１０３が発射されたときの反動が、弾丸１０３の発射直後から、先台や銃床６０へと伝わるようになっていた。先台や銃床６０は、ライフル銃を操作する人の手や肩で支える部分であるところ、上記［７］において弾丸１０３が発射されたときの反動が先台や銃床６０を介して手や肩に伝わってしまうと、銃身１０の向きにブレが生じてしまい、銃身１０の内部（銃腔）を前進する弾丸１０３の発射方向（銃口から飛び出す方向）にもブレが生じしまう。このため、特許文献１のライフル銃では、命中精度を高めることは必ずしも容易ではなかった。
【０００７】
本発明は、上記課題を解決するために為されたものであり、少なくとも弾丸発射直後においては、弾丸発射時の反動が先台や銃床に伝わりにくくすることで、その間における銃身のブレを抑え、弾丸の命中精度を高めることができるライフル銃を提供するものである。また、少なくとも弾丸発射直後においては、弾丸発射時の反動が銃把に伝わりにくくすることで、その間における銃身のブレを抑え、弾丸の命中精度を高めることができる銃を提供することも本発明の目的である。
【課題を解決するための手段】
【０００８】
上記課題は、
銃口を有する銃身と、
遊底、撃鉄、撃針及び引金を有する機関部と、
銃身の下側に配された先台と、
機関部の後側に配された銃床と
を備えたライフル銃であって、
機関部が、遊底、撃鉄及撃針を有する上側機関部と、引金を有する下側機関部とで別体とされ、
銃身及び上側機関部で構成される第一部分と、先台、下側機関部及び銃床で構成される第二部分との間に、第二部分に対して第一部分を前後方向にスライド可能な状態で支持するスライド機構が介在され、
弾丸が発射されるときの反動で、第一部分が第二部分に対して後方にスライドを開始するようにした
ことを特徴とするライフル銃
を提供することによって解決される。
【０００９】
このように、機関部の上側部分（上側機関部）を、引金等が設けられた下側部分（下側機関部）と別体として、銃身や上側機関部等を有する第一部分が、先台や下側機関部や銃床等を有する第二部分に対して前後方向にスライド可能な状態で支持することにより、弾丸発射直後には、弾丸発射時の反動が主に第一部分のみに加わるようにすることができる。このとき第一部分に加わった反動は、その反動で第一部分が後方にスライドすることで、第二部分には殆ど伝わらないようにすることができる。このため、少なくとも弾丸が銃口から飛び出すまでの間（弾丸が銃身の内部を前進している間）においては、弾丸発射時の反動が第二部分における銃把や銃床に伝わりにくくし、銃身の向きにブレが生じにくくすることができる。したがって、弾丸の命中精度を高めることが可能になる。
【００１０】
ここで、弾丸発射時の反動で後方に移動する第一部分が後方の限界位置に達したときには、その衝撃が第二部分に伝わって、銃身の向きにブレが生じる虞がある。しかし、このときの銃身の向きにブレが生じたとしても、そのブレが生じるよりも前に、弾丸が銃口から飛び出していれば、そのブレが、弾丸が飛び出す方向に悪影響を及ぼすこと（弾丸の命中精度を低下させる）ことはない。本発明のライフル銃では、弾丸が銃口から飛び出すまでの間（弾丸が銃身の内部を前進している間）は、第一部分が後方に移動し続けるようにすること（弾丸が銃口から飛び出した後に第一部分が後方の限界位置に達するようにすること）すると、弾丸の命中精度をさらに高めることも可能である。
【００１１】
本発明のライフル銃において、第一部分の前後方向のスライド幅（第一部分が前方の限界位置（初期位置）から後方の限界位置に達するまでの移動距離）は、特に限定されない。しかし、第一部分の前後方向のスライド幅を短くしすぎると、弾丸が銃口から飛び出すよりも前に、第一部分が後方の限界位置に達し、そのときの衝撃で銃身にブレが生じる虞がある。したがって、第一部分の前後方向のスライド幅は、５ｍｍ以上とすることが好ましく、１０ｍｍ以上とすることがより好ましい。一方、第一部分の前後方向のスライド幅を長くしすぎると、第一部分が移動できるスペースをライフル銃の後方に広く確保する必要が生じる。このため、第一部分の前後方向のスライド幅は、１００ｍｍ以下とすることが好ましく、８０ｍｍ以下とすることがより好ましい。
【００１２】
第一部分の前後方向のスライド幅は、上述したような範囲で、銃身の長さや口径（弾の種類）等に応じて適宜決定する。すなわち、銃身が長ければ長いほど、弾丸が発射されてから銃口から飛び出すまでの時間が長くなる。また、弾丸（弾）が大きければ大きいほど、弾丸発射時の反動が大きくなり、弾丸発射後に第一部分が勢いよく後方へ移動する傾向にある。このため、銃身が長い場合や銃身の口径が大きい場合には、第一部分の前後方向のスライド幅は、長めに設定する（５０〜７０ｍｍ程度を確保する）ことが好ましい。
【００１３】
これに対し、銃身が短ければ短いほど、弾丸が発射されてから銃口から飛び出すまでの時間が短くなる。また、弾丸（弾）が小さければ小さいほど、弾丸発射時の反動が小さくなり、弾丸発射後に後方に移動する第一部分の勢いが弱くなる傾向にある。このため、銃身が短い場合や弾丸（弾）が小さい場合には、第一部分の前後方向のスライド幅を短く設定することができる（第一部分の前後方向のスライド幅が１０〜２０ｍｍ程度もあれば足りるようになる。）。
【００１４】
本発明のライフル銃において、上記のスライド機構（第二部分に対して第一部分を前後方向可能に支持するスライド機構）の種類は、特に限定されない。しかし、スライド機構は、第二部分に対して第一部分を、より安定して、より滑らかに、そしてより平行な状態で支持できるものとすることが好ましい。このような要求を満たすものとしては、「ボール式直動ガイド」がある。ボール式直動ガイドは、移動側部材（第一部分）と不動側部材（第二部分）との間に複数のボールを介在させ、それぞれのボールが転がりながら移動側部材（第一部分）に対して点状に接触するようにすることで、移動側部材（第一部分）をスライド可能に支持する機構である。ボール式直動ガイドとしては、筒状部分（ブッシュ）の内部で軸状部分を案内する「ブッシュタイプ」のものや、レールに乗せられた部分を案内する「レールタイプ」のもの等が例示される。
【００１５】
上記のスライド機構は、第一部分と第二部分との間に介在させるのであれば、それを設ける具体的な箇所は特に限定されないが、第一部分における銃身と第二部分における先台との間に配することが好ましい。以下においては、銃身と先台との間に配するスライド機構を「銃身側スライド機構」と呼ぶことがある。第一部分を構成する銃身は、ライフル銃における他の部分と比較して、長尺であり、特に変形や変位が生じやすい箇所であるところ、この銃身を銃身側スライド機構で支持することによって、弾丸発射時や弾丸発射後における銃身の挙動を安定させることができる。したがって、弾丸の命中精度をより高めることが可能になる。
【００１６】
銃身側スライド機構は、第二部分の先台に対して第一部分の銃身をスライド可能に支持できるものであれば、その種類を特に限定されない。しかし、銃身は軸状を為す部分であるため、上記のボール式直動ガイドのうちブッシュタイプのものを、銃身側スライド機構として好適に採用することができる。
具体的には、
銃身側スライド機構として、
銃身を挿通するための銃身挿通孔を有する銃身挿通部（ブッシュ）と、
銃身挿通部の内周部に設けられた複数のボールと
を備えたものを用いることが好ましい。
【００１７】
銃身側スライド機構は、銃身を前後方向に亘る少なくとも１箇所に設けるのであれば、その配置を特に限定されない。しかし、弾丸発射直後の銃身は、弾丸発射時の反動で振動をしている。このため、弾丸発射時の反動がライフル銃を支持する手や肩に伝わらないようにしたとしても、この銃身の振動が弾丸の命中精度に悪影響を及ぼす虞がある。したがって、銃身側スライド機構は、弾丸発射直後に銃身に生じる振動を効果的に抑えることができる箇所に設けることが好ましい。
【００１８】
より具体的には、弾丸が発射されたときに銃身に生ずる振動の腹となる箇所に銃身側スライド機構を設けることが好ましい。銃身において振動の腹となる箇所は、弾丸発射直後の銃身を高速度カメラで撮影することや、振動センサを銃身に取り付けた状態で弾丸を発射することや、シミュレーション等で判断することができる。銃身において振動の腹となる箇所が複数個所ある場合等には、銃身側スライド機構を複数個所に設けることもできる。
【００１９】
また、本発明のライフル銃においては、上記のスライド機構を、第一部分における上側機関部と第二部分における下側機関部との間に配することも好ましい。以下においては、上側機関部と下側機関部との間に配するスライド機構を「機関部側スライド機構」と呼ぶことがある。上側機関部は、遊底や撃針等を有し、比較的重量のある部分であるところ、この上側機関部を機関部側スライド機構で支持することによって、第二部分に対して第一部分を安定した状態で支持することが可能になる。この機関部側スライド機構を、上記の銃身側スライド機構とともに併用すると第二部分に対して第一部分をより安定させることができる。
【００２０】
機関部側スライド機構は、第二部分の下側機関部に対して第一部分の上側機関部をスライド可能に支持できるものであれば、その種類を特に限定されない。例えば、上側機関部や下側機関部に軸状部分を設け、当該軸状部分を、上記のブッシュタイプのボール式直動ガイドで支持するようにすることもできる。しかし、ブッシュタイプのボール式直動ガイドは、軸状部分を芯出しした状態でスライドさせることには長けているものの、当該軸状部分におけるその中心線周りの回転を規制することには長けていない。このため、銃身側スライド機構と機関部側スライド機構の双方をブッシュタイプのものとすると、第二部分に対して第一部分が左右に傾くようになり、その傾きを防止するための機構が別途必要になる。
【００２１】
したがって、機関部側スライド機構としては、上記のボール式直動ガイドのうち、レールタイプのものを用いることが好ましい。
具体的には、
機関部側スライド機構として、
上側機関部に取り付けられる上側スライド部と、
下側機関部に取り付けられる下側固定部（レール）と、
上側スライド部と下側固定部との隙間内に設けられた複数のボールと
を備えたものを用いることが好ましい。
【００２２】
本発明のライフル銃において、第一部分は、前方の限界位置と後方の限界位置との間をフリーに移動できる状態としてもよい。しかし、この場合には、ライフル銃を持ち運ぶ際等に、第二部分に対して第一部分がガタつくようになる。このため、第一部分は、引金が引かれたときにのみ、後方へ移動することができる構造とすることが好ましい。具体的には、引金が引かれる前の状態では、第一部分を後側に移動しないように係止しながらも、引金が引かれて遊底又は撃針が動作した際に、前記係止が外れて第一部分が後側に移動できる状態とするスライド制御機構を設けることが好ましい。
【００２３】
ところで、ライフル銃には、狙いを定めるための照準器（スコープ）と呼ばれる器具が取り付けられることがある。一般的なライフル銃では、この照準器は、機関部（本発明のライフル銃においては上側機関部に相当する部分）に対して取り付けられる。しかし、本発明のライフル銃では、上述したように、銃身及び上側機関部で構成される第一部分が、先台、下側機関部及び銃床で構成される第二部分に対して前後方向にスライド可能な構造となっている。このため、本発明のライフル銃において、照準器を上側機関部に取り付けると、弾丸発射後に、照準器が上側機関部とともに後方に移動し、ライフル銃を構えた人の目に照準器が当たるようになってしまう。このため、本発明のライフル銃に照準器を取り付ける場合には、第一部分ではなく、第二部分に照準器を取り付けることが好ましい。
【００２４】
また、上述したライフル銃の技術は、ピストル等の銃にも応用できる。
すなわち、
銃口を有する銃身と、
撃鉄及び引金を有する機関部と、
機関部の後側に配された銃把と
を備えた銃であって、
機関部が、撃鉄を有する上側機関部と、引金を有する下側機関部とで別体とされ、
銃身及び上側機関部で構成される第一部分と、下側機関部及び銃把で構成される第二部分との間に、第二部分に対して第一部分を前後方向にスライド可能な状態で支持するスライド機構が介在され、
弾丸が発射されるときの反動で、第一部分が第二部分に対して後方にスライドを開始するようにした
ことを特徴とする銃
である。
【００２５】
これにより、ピストル等の銃（ライフル銃以外の銃）でも、少なくとも弾丸発射直後においては、弾丸発射時の反動が銃把に伝わりにくくすることで、その間における銃身のブレを抑え、弾丸の命中精度を高めることが可能になる。
【発明の効果】
【００２６】
以上のように、本発明によって、少なくとも弾丸発射直後においては、弾丸発射時の反動が先台や銃床に伝わりにくくすることで、その間における銃身のブレを抑え、弾丸の命中精度を高めることができるライフル銃を提供することが可能になる。また、少なくとも弾丸発射直後においては、弾丸発射時の反動が銃把に伝わりにくくすることで、その間における銃身のブレを抑え、弾丸の命中精度を高めることができる銃を提供することも可能になる。
【図面の簡単な説明】
【００２７】
【図１】ライフル銃の全体を示した側面図である。
【図２】図１のライフル銃における機関部の周辺を、銃身の中心線を含む平面で切断して拡大して示した断面図である。
【図３】図１のライフル銃において、（ａ）第一部分が初期位置（前方限界位置）にあるときと、（ｂ）第一部分が後方限界位置にあるときとをそれぞれ示した断面図である。
【図４】ブッシュタイプのボール式直動ガイドを示した一部破断斜視図である。
【図５】別の種類のブッシュタイプのボール式直動ガイドを示した一部破断斜視図である。
【図６】レールタイプのボール式直動ガイドを示した一部破断斜視図である。
【図７】図６のレールタイプのボール式直動ガイドを手前側から見た状態を示した図である。
【発明を実施するための形態】
【００２８】
本発明のライフル銃の好適な実施態様について、図面を用いてより具体的に説明する。図１は、ライフル銃の全体を示した側面図である。図１においては、説明の便宜上、後述する「第一部分１０」に相当する部分を網掛けハッチングで示している。図２は、図１のライフル銃における機関部３０の周辺を、銃身１１の中心線Ｌを含む平面で切断して拡大して示した断面図である。本実施態様のライフル銃は、図１に示すように、銃身１１と、機関部３０と、先台２１と、銃把２２と、銃床２３とを備えている。
【００２９】
銃身１１は、その内部に「銃腔」と呼ばれる貫通孔が設けられた円筒状の部材となっている。銃身１１における銃腔は、弾１００（図２）から発射された弾丸１０３が通過するための部分である。銃身１１の前端部には、弾丸が飛び出す銃口１１ａが設けられており、銃身１１の後端側には、弾１００を収めるための薬室（チャンバー）１１ｂが設けられている。薬室１１ｂは、銃身１１の後端部ではなく、機関部３０の前端部に設けてもよい。
【００３０】
機関部３０は、ライフル銃における心臓部とも言える部分である。この機関部３０には、図２に示すように、引金（トリガー）３２ａと、逆鉤（シア）３２ｂと、遊底（ボルト）３１ａと、撃針３１ｂと、撃針付勢手段３１ｃとが設けられている。
【００３１】
引金３２ａは、ライフル銃を構えた人が利き手の人差し指で操作する部分であり、この引金３２ａを引くことにより、射撃を行うことができる。
【００３２】
逆鉤３２ｂは、撃針３１ｂを係止する部分であり、この逆鉤３２ｂによって、撃針３２ｂが遊底３１ａ内を前方に移動しないように規制されている。引金３２ａが操作されると、この逆鉤３２ｂが引金３２に伴って作動し、逆鉤３２ｂと撃針３１ｂとの係止が外れるようになっている。
【００３３】
遊底３１ａは、薬室１１ｂに収められた弾１００を後方から抑えるための部分となっている。遊底３１ａの内部には、撃針３１ｂを前後方向に案内するための案内孔が設けられている。
【００３４】
撃針３１ｂは、弾１００の雷管１０４を打撃するための部分となっている。撃針３１ｂには、逆鉤３２ｂに係止される被係止部３１ｂ１が設けられている。
【００３５】
撃針付勢手段３１ｃは、撃針３１ｂを前方（弾１００側）に付勢するための部材となっている。この撃針付勢手段３１ｃによって、撃針３１ｂは、前方に付勢された状態となっており、撃針３１ｂと逆鉤３２ｂとの係止が外れると、撃針３１ｂが遊底３１ａ内を前方に移動するようになる。撃針付勢手段３１ｃは、斯様な機能を発揮できるのであれば、特に限定されず、板バネ等を用いてもよいが、通常、コイルバネとされる。
【００３６】
本実施態様のライフル銃は、
[１]  引金３２ａを指で引く。
[２]  機関部３０内の逆鉤３２ｂが動作し、撃針３１ｂを係止していた逆鉤３２ｂが撃針３１ｂから外れる。
[３]  撃針３１ｂが、機関部３０の遊底３１ａ内に設けられた撃針付勢手段３１ｃの付勢力によって遊底３１ａ内を前進する。
[４]  撃針３１ｂの前端部が弾１００における雷管１０４のカップ１０４ａの後面を打撃する。
［５］  カップ１０４ａの前面側に塗布された起爆薬１０４ｂが、カップ１０４ａと発火金（アンビル）１０４ｃとで押圧されて発火する。
［６］  薬莢１０１内の火薬１０２が爆発する。
［７］  火薬１０２の爆発により、薬莢１０１内の圧力が増大し、弾丸１０３が発射される。
という手順及び流れで弾丸１０３を発射するものとなっている。
【００３７】
既に述べたように、上記［７］で弾丸１０３が前方へ発射されるときのライフル銃には、後ろ向きの力（反動）が生じる。この点、本実施態様のライフル銃では、ライフル銃を、弾丸発射時の反動の発生源に近い第一部分１０（銃身１１、遊底３１ａ及び撃針３１ｂ等を有する部分）と、ライフル銃を構える人の身体で支持される第二部分２０（先台２１、銃把２２、銃床２３及び引金３２ａ等を有する部分）とに分離し、第一部分１０が第二部分２０に対して前後方向にスライドできるようにしている。このため、弾丸発射直後においては、第一部分１０は、反動で後方にスライドするものの、第二部分１０は移動せず、先台２１や銃把２２を握る手や、銃床２３に宛がった肩の位置が動かず、銃身１１の向きがブレにくくなっている。したがって、弾丸発射時の反動による命中精度の低下を抑えることができるようになっている。
【００３８】
ところで、遊底３１ａや撃針３１ｂや引金３２ａはいずれも、機関部３０の構成部品であるが、遊底３１ａや撃針３１ｂや引金３２ａを、上記の第一部分１０と第二部分２０とで区分すると、遊底３１ａ及び撃針３１ｂは、第一部分１０を構成しており、引金３２ａは、第二部分２０を構成している。すなわち、機関部３０は、第一部分１０を構成する部分と、第二部分２０を構成する部分とで、互いにスライド可能な構造となっている必要がある。この点、本実施態様のライフル銃では、機関部３０を、第一部分１０を構成する上側機関部３１（遊底３１ａや撃針３１ｂ等、機関部３０の上側を構成する部分）と、第二部分２０を構成する下側機関部３２（引金３２ａ等、機関部３０の下側を構成する部分）とを別体とし、互いに前後方向にスライドできる構造としている。
【００３９】
図３は、図１のライフル銃において、（ａ）第一部分１０が初期位置（前方限界位置）にあるときと、（ｂ）第一部分１０が後方限界位置にあるときとをそれぞれ示した断面図である。図３においては、説明の便宜上、ライフル銃における第一部分１０を網掛けハッチングで示している。ライフル銃で射撃を行う際には、第一部分１０を図３（ａ）に示す初期位置（前方限界位置）とした後に引金３２ａを引く。すると、弾１００から弾丸１０３（図２）が発射される。弾１００から発射された弾丸１０３は、銃身１１内の銃腔を通過した後、銃身１１の前端部の銃口から出射される。弾１００から弾丸が発射された後は、その反動によって、第一部分１０が後方に移動し、そのうち、図３（ｂ）に示す後方限界位置に達する。第一部分１０の後方限界位置は、例えば、第一部分１０の所定箇所が、第二部分２０に設けられた図視省略のストッパーに当接する位置とすることができる。
【００４０】
第一部分１０が後方限界位置に達したときには、上記のストッパー等を介して第一部分１０から第二部分２０に加わる衝撃で、第二部分２０が動き、銃身１１の向きがぶれる虞がある。しかし、銃身１１にブレが生じるまでに、弾丸１０３が銃身１１内における銃口に近い位置まで達していれば、その銃身１１のブレが弾丸１０３の出射方向に及ぼす影響は小さくなる。また、銃身１１にブレが生じるまでに、弾丸１０３が、銃身１１の前端部の銃口から出射されていれば、その銃身１１のブレは、弾丸１０３の出射方向に全く影響を及ぼさない。このように、本実施態様のライフル銃は、弾丸発射時の反動が生じても、弾丸１０３の出射方向にばらつきが生じにくく、命中精度を高めることが可能なものとなっている。
【００４１】
第一部分１０は、初期位置（前方の限界位置）と後方の限界位置との間をフリーに移動できる状態としてもよい。しかし、この場合には、ライフル銃を持ち運ぶ際等に、第二部分２０に対して第一部分１０がガタつくようになる。この点、引金３２ａが引かれておらず、撃針３１ｂが後方に下がっているとき（非撃発時）には、第一部分１０が後方にスライドしないように、第一部分１０が第二部分２０側の部材に係止された状態になるものの、引金３２ａが引かれて撃針３１ｂが前方に移動したとき（撃発時）には、上記の係止が外れて第一部分１０が後方にスライドできる状態とするためのスライド制御機構を設けることで、第一部分１０のガタツキを防止することが可能になる。上記のスライド制御機構において、非撃発時に第一部分１０を係止する第二部分２０側の部材は、特に限定されないが、引金３２ａや、逆鉤３２ｂや、これらに連動して作動する各種部品が挙げられる。
【００４２】
第一部分１０の前後方向のスライド幅Ｗ（図３）は、銃身１１の長さや口径（弾１００の種類）等に応じて適宜決定されるが、概ね、５〜１００ｍｍとすることが好ましく、１０〜８０ｍｍとすることがより好ましい。銃身１１が長めの場合や銃身の口径が大きめの場合には、第一部分１０の前後方向のスライド幅Ｗは、５０〜７０ｍｍ程度確保ことが好ましい。また、銃身１１が短めの場合や、弾丸が小さめの場合には、第一部分１０の前後方向のスライド幅Ｗは、１０〜２０ｍｍ程度もあれば足りるようになる。
【００４３】
以上のように、本実施態様のライフル銃は、弾丸発射直後の第一部分１０を第二部分２０に対して後方にスライドさせ、弾丸発射時の反動が第二部分２０に伝わるまでの時間を稼ぐことにより、命中精度の低下を防ぐものとなっている。第二部分２０に対する第一部分１０のスライドは、図１に示すように、第一部分１０と第二部分２０との間に介在させたスライド機構４０によって実現されている。スライド機構４０は、第一部分１０における銃身１１と第二部分２０における先台２１との間に配する場合と、第一部分１０における上側機関部３１と第二部分２０における下側機関部３２との間に配する場合とがある。前者のスライド機構４０は、上記の「銃身側スライド機構」に該当するものであり、後者のスライド機構４０は、上記の「機関部側スライド機構」に該当するものである。本実施態様のライフル銃では、銃身側スライド機構４０ａと機関部側スライド機構４０ｂとの双方を併用している。
【００４４】
スライド機構４０のうち、銃身側スライド機構４０ａは、弾丸１０３が発射されたときに銃身１１に生ずる振動の腹となる箇所に設けている。これにより、弾丸発射直後に銃身１１に生じる振動を効果的に抑えて、ライフル銃の命中精度をより高めることが可能になる。銃身１１において振動の腹となる箇所は、弾丸発射直後の銃身１１を高速度カメラで撮影することや、振動センサを銃身１１に取り付けた状態で弾丸１０３を発射することや、シミュレーション等で判断することができる。
【００４５】
銃身１１において振動の腹となる箇所が複数個所ある場合等には、銃身側スライド機構４０ａを複数個所に設けることも可能である。逆に、銃身側スライド機構４０ａを１箇所のみに設ける場合には、銃身側スライド機構４０ａは、できるだけ、先台２１の前端側に近い箇所に配置することが好ましい。本実施態様のライフル銃では、銃身１１の前端部と後端部とを結ぶ線分を１：２に内分する点の近傍に、銃身側スライド機構４０ａを１つのみ設けている。
【００４６】
既に述べたように、スライド機構４０の種類は、特に限定されない。しかし、スライド機構４０として、スライド抵抗が大きいもの（第一部分１０を滑らかにスライドさせることができないもの）を用いると、第一部分１０が後方にスライドするときの抵抗が第二部分２０に伝わり、第一部分１０が後方に移動しているとき（弾丸１０３が銃身１１内を前進しているとき）の第二部分２０が不安定になり、その結果、銃身１１の向きがぶれる虞がある。このため、スライド機構４０は、できるだけ、第一部分１０を円滑にスライドさせることができるものを用いることが好ましい。
【００４７】
このようなスライド機構４０としては、ボール式直動ガイドが挙げられ、ボール式直動ガイドとしては、ブッシュタイプのものやレールタイプのものが例示される。図４は、ブッシュタイプのボール式直動ガイド４１を示した一部破断斜視図である。図５は、別の種類のブッシュタイプのボール式直動ガイド４２を示した一部破断斜視図である。図６は、レールタイプのボール式直動ガイド４３を示した一部破断斜視図である。図７は、図６のレールタイプのボール式直動ガイド４３を手前側から見た状態を示した図である。
【００４８】
図４に示すブッシュタイプのボール式直動ガイド４１は、銃身１１（軸状部材）を挿通するための銃身挿通孔（軸状部材挿通孔）を有する筒状の銃身挿通部（ブッシュ）４１ａと、銃身挿通部４１ａの内周部に設けられた複数のボール４１ｂとを備えている。それぞれのボール４１ｂは、銃身１１等の軸状部材の外周部に固定されたリテーナ４１ｃの凹部に収容されている。このボール式直動ガイド４１は、多数のボール４１ｂのそれぞれの外面が銃身挿通部（ブッシュ）４１ａの内周面に点状に接触することにより、銃身１１等の軸状部材を円滑にスライド可能な状態で支持できるものとなっている。図４に示すブッシュタイプのボール式直動ガイド４１は、銃身１１等の軸状部材の芯出しを高精度に行いながら当該軸状部材を円滑にスライドさせることができるため、上記の銃身側スライド機構４０ａ（図１）として好適に用いることができる。
【００４９】
図５に示すブッシュタイプのボール式直動ガイド４２も、図４に示したものと同様、銃身挿通部（ブッシュ）４２ａと、複数のボール４２ｂと、リテーナ４２ｃとを備えている。しかし、図４のボール式直動ガイド４１では、それぞれのボール４１ｂが、リテーナ４１ｃにおける独立した凹部に収容されていたのに対し、図５のボール式直動ガイド４２では、それぞれのボール４２ｂが、リテーナ４１ｃに設けられた環状溝に収容されている。このため、ボール４２ｃは、環状溝の内部を転がりながら、当該環状溝を循環することができるようになっている。図５のボール式直動ガイド４２は、スライド抵抗をより小さくするだけでなく、前後方向スライドの幅Ｗ（図３）をより広く確保することもできるものとなっている。図５に示すブッシュタイプのボール式直動ガイド４２も、上記の銃身側スライド機構４０ａ（図１）として好適に用いることができる。
【００５０】
図６及び図７に示すレールタイプのボール式直動ガイド４３は、上側機関部３１に取り付けられる上側スライド部４３ａと、下側機関部３２に取り付けられる下側固定部（レール）４３ｂと、上側スライド部４３ａと下側固定部４３ｂとの隙間内に設けられた複数のボール４３ｃとを備えたものとなっている。上側スライド部４３ａは、断面逆Ｕ字状を為しており、レール状の下側固定部４３ｂの上側に被せると、その側壁部分で下側固定部４３ａの両側面を覆った状態となるようになっている。ボール４３ｃは、下側固定部４３ｂの両側面に固定された断面Ｖ字状のリテーナ４３ｄの凹部に収容されている。
【００５１】
このボール式直動ガイド４１は、多数のボール４１ｂのそれぞれの外面が上側スライド部４３ａの側壁部内面に点状に接触することにより、上側スライド部材４３ａを円滑にスライド可能な状態で支持できるものとなっている。図６に示すレールタイプのボール式直動ガイド４２は、スライド対象が軸状部材に限定されないことに加えて、そのスライド対象をスライド方向回りに回転させることなくスライドさせることができる。このため、上記の機関部側スライド機構４０ｂとして好適に用いることができる。
【００５２】
ところで、本実施態様のライフル銃には、図１に示すように、狙いを定めるための照準器（スコープ）５０が取り付けられている。一般的なライフル銃であれば、この照準器５０は、機関部３０に対して固定される。しかし、照準器５０は、引金３２ａを引く際に目で覗きこむ部分であることに加えて、本実施態様のライフル銃では、弾丸発射直後に、第二部分２０に対して第一部分１０が後方にスライドするようになる。このため、弾丸発射時の反動で目に照準器５０が勢いよく当たってしまう虞もある。この点、本実施態様のライフル銃では、照準器５０を、第一部分１０側（スライドする側）の機関部３０ではなく、第二部分２０側（スライドしない側）の銃床２３に対して固定している。これにより、弾丸発射時の反動で照準器５０が後方に移動しないようにし、目を保護することが可能となっている。
【符号の説明】
【００５３】
１０    第一部分
１１    銃身（バレル）
１１ａ  銃口
１１ｂ  薬室（チャンバー）
２０    第二部分
２１    先台（フォアハンド）
２２    銃把（グリップ）
２３    銃床
３０    機関部（レシーバー）
３１    上側機関部
３１ａ  遊底
３１ｂ  撃針
３１ｂ１  被係止部
３１ｃ  撃針付勢手段
３２    下側機関部
３２ａ  引金（トリガー）
３２ｂ  逆鉤（シア）
４０    スライド機構
４０ａ  銃身側スライド機構
４０ｂ  機関部側スライド機構
４１    ブッシュタイプのボール式直動ガイド
４１ａ  銃身挿通部
４１ｂ  ボール
４１ｃ  リテーナ
４２    ブッシュタイプのボール式直動ガイド
４２ａ  銃身挿通部
４２ｂ  ボール
４２ｃ  リテーナ
４３    レールタイプのボール式直動ガイド
４３ａ  上側スライド部
４３ｂ  下側固定部（レール）
４３ｃ  ボール
４３ｄ  リテーナ
５０    スコープ
１００    弾（カートリッジ）
１０１    薬莢（カートリッジケース）
１０２    火薬（パウダー）
１０３    弾丸（ブリット）
１０４    雷管（プライマー）
１０４ａ  カップ
１０４ｂ  起爆薬
１０４ｃ  発火金（アンビル）
【図１】
2019203669.tif 000003
【図２】
2019203669.tif 000004
【図３】
2019203669.tif 000005
【図４】
2019203669.tif 000006
【図５】
2019203669.tif 000007
【図６】
2019203669.tif 000008
【図７】
2019203669.tif 000009